【手続補正書】
【提出日】平成18年4月24日(2006.4.24)
【手続補正１】
【補正対象書類名】特許請求の範囲
【補正対象項目名】全文
【補正方法】変更
【補正の内容】
【特許請求の範囲】
【請求項１】
法面斜面に当該法面から突出するよう複数のロックボルトを取り付け、
法面の底盤に打設された基礎ブロックに固定用定着材の一端が固定され、
予め積み上げ方向に設けられた貫通孔を備えるプレキャストコンクリート製のパネルであって、厚みを薄く、重量軽減、材料節約したパネルを当該貫通孔に前記固定用定着材を貫通させながら積み上げ、
前記固定用定着材を前記パネルの端辺で緊張締結させて前記パネルを前記基礎ブロックに固定し、
これら一連の動作で前記法面に対してパネルを並設し、
並設された前記複数のパネルから成る法面盛土用永久型枠と前記法面との間にエアーモルタルの軽量盛土材を打設して、前記法面盛土用永久型枠、前記打設された軽量盛土材及び前記法面を一体化することを特徴とする盛土の施工又は落石防止工法。
【請求項２】
法面斜面に当該法面から突出するよう複数のロックボルトを取り付け、
法面の底盤に打設された基礎ブロックに固定用定着材の一端が固定され、
予め積み上げ方向に設けられた貫通孔を備えるプレキャストコンクリート製のパネルであって、厚みを薄く、重量軽減、材料節約したパネルを当該貫通孔に前記固定用定着材を貫通させながら積み上げ、
前記固定用定着材を前記パネルの端辺で緊張締結させて前記パネルを前記基礎ブロックに固定し、
これら一連の動作で前記法面に対してパネルを並設し、
並設された前記複数のパネルから成る法面盛土用永久型枠と前記法面との間にエアーモルタルの軽量盛土材を打設し、
更に並設された前記パネル上に、予め積み上げ方向に設けられた貫通孔を備えるプレキャストコンクリート製の別のパネルであって、厚みを薄く、重量軽減、材料節約した別のパネルを当該貫通孔に前記固定用定着材を貫通させながら積み上げ、
前記固定用定着材を前記別のパネルの端辺で緊張締結させて前記別のパネルを下段の前記パネルに固定し、
これら一連の動作で前記法面に対して前記パネル上に別のパネルを並設し、
並設された前記複数の別のパネルから成る法面盛土用永久型枠と前記法面との間にエアーモルタルの軽量盛土材を打設して、前記法面盛土用永久型枠、前記打設された軽量盛土材及び前記法面を一体化することを特徴とする盛土の施工又は落石防止工法。
【請求項３】
法面斜面に略沿って斜め方向にパネルを積み上げることを特徴とする請求項１又は２記載の盛土の施工又は落石防止工法。
【手続補正２】
【補正対象書類名】明細書
【補正対象項目名】発明の名称
【補正方法】変更
【補正の内容】
【発明の名称】盛土の施工又は落石防止工法
【手続補正３】
【補正対象書類名】明細書
【補正対象項目名】０００８
【補正方法】変更
【補正の内容】
【０００８】
上記従来例の問題点を解決するための本発明は、盛土の施工又は落石防止工法において、法面斜面に当該法面から突出するよう複数のロックボルトを取り付け、法面の底盤に打設された基礎ブロックに固定用定着材の一端が固定され、予め積み上げ方向に設けられた貫通孔を備えるプレキャストコンクリート製のパネルであって、厚みを薄く、重量軽減、材料節約したパネルを当該貫通孔に前記固定用定着材を貫通させながら積み上げ、前記固定用定着材を前記パネルの端辺で緊張締結させて前記パネルを前記基礎ブロックに固定し、これら一連の動作で前記法面に対してパネルを並設し、並設された前記複数のパネルから成る法面盛土用永久型枠と前記法面との間にエアーモルタルの軽量盛土材を打設して、前記法面盛土用永久型枠、前記打設された軽量盛土材及び前記法面を一体化することを特徴とする。
【手続補正４】
【補正対象書類名】明細書
【補正対象項目名】０００９
【補正方法】変更
【補正の内容】
【０００９】
本発明は、盛土の施工又は落石防止工法において、法面斜面に当該法面から突出するよう複数のロックボルトを取り付け、法面の底盤に打設された基礎ブロックに固定用定着材の一端が固定され、予め積み上げ方向に設けられた貫通孔を備えるプレキャストコンクリート製のパネルであって、厚みを薄く、重量軽減、材料節約したパネルを当該貫通孔に前記固定用定着材を貫通させながら積み上げ、前記固定用定着材を前記パネルの端辺で緊張締結させて前記パネルを前記基礎ブロックに固定し、これら一連の動作で前記法面に対してパネルを並設し、並設された前記複数のパネルから成る法面盛土用永久型枠と前記法面との間にエアーモルタルの軽量盛土材を打設し、更に並設された前記パネル上に、予め積み上げ方向に設けられた貫通孔を備えるプレキャストコンクリート製の別のパネルであって、厚みを薄く、重量軽減、材料節約した別のパネルを当該貫通孔に前記固定用定着材を貫通させながら積み上げ、前記固定用定着材を前記別のパネルの端辺で緊張締結させて前記別のパネルを下段の前記パネルに固定し、これら一連の動作で前記法面に対して前記パネル上に別のパネルを並設し、並設された前記複数の別のパネルから成る法面盛土用永久型枠と前記法面との間にエアーモルタルの軽量盛土材を打設して、前記法面盛土用永久型枠、前記打設された軽量盛土材及び前記法面を一体化することを特徴とする。
また、本発明は、上記盛土の施工又は落石防止工法において、法面斜面に略沿って斜め方向にパネルを積み上げることを特徴とする。
【手続補正５】
【補正対象書類名】明細書
【補正対象項目名】００１０
【補正方法】変更
【補正の内容】
【００１０】
本発明によれば、法面斜面に当該法面から突出するよう複数のロックボルトを取り付け、法面の底盤に打設された基礎ブロックに固定用定着材の一端が固定され、予め積み上げ方向に設けられた貫通孔を備えるプレキャストコンクリート製のパネルであって、厚みを薄く、重量軽減、材料節約したパネルを当該貫通孔に前記固定用定着材を貫通させながら積み上げ、前記固定用定着材を前記パネルの端辺で緊張締結させて前記パネルを前記基礎ブロックに固定し、これら一連の動作で前記法面に対してパネルを並設し、並設された前記複数のパネルから成る法面盛土用永久型枠と前記法面との間にエアーモルタルの軽量盛土材を打設して、前記法面盛土用永久型枠、前記打設された軽量盛土材及び前記法面を一体化する盛土の施工又は落石防止工法としているので、簡易、安全且つ低コストで十分な強度を持って盛土法面を安定化でき、また斜面の落石を永久的に防止することができる効果がある。
【手続補正６】
【補正対象書類名】明細書
【補正対象項目名】００１１
【補正方法】変更
【補正の内容】
【００１１】
本発明によれば、法面斜面に当該法面から突出するよう複数のロックボルトを取り付け、法面の底盤に打設された基礎ブロックに固定用定着材の一端が固定され、予め積み上げ方向に設けられた貫通孔を備えるプレキャストコンクリート製のパネルであって、厚みを薄く、重量軽減、材料節約したパネルを当該貫通孔に前記固定用定着材を貫通させながら積み上げ、前記固定用定着材を前記パネルの端辺で緊張締結させて前記パネルを前記基礎ブロックに固定し、これら一連の動作で前記法面に対してパネルを並設し、並設された前記複数のパネルから成る法面盛土用永久型枠と前記法面との間にエアーモルタルの軽量盛土材を打設し、更に並設された前記パネル上に、予め積み上げ方向に設けられた貫通孔を備えるプレキャストコンクリート製の別のパネルであって、厚みを薄く、重量軽減、材料節約した別のパネルを当該貫通孔に前記固定用定着材を貫通させながら積み上げ、前記固定用定着材を前記別のパネルの端辺で緊張締結させて前記別のパネルを下段の前記パネルに固定し、これら一連の動作で前記法面に対して前記パネル上に別のパネルを並設し、並設された前記複数の別のパネルから成る法面盛土用永久型枠と前記法面との間にエアーモルタルの軽量盛土材を打設して、前記法面盛土用永久型枠、前記打設された軽量盛土材及び前記法面を一体化する盛土の施工又は落石防止工法としているので、簡易、安全且つ低コストで十分な強度を持って盛土法面を安定化でき、また斜面の落石を永久的に防止することができる効果がある。
また、本発明によれば、基礎コンクリートに定着した緊張材でコンクリート製パネルを緊張、締め付けて設置するので、斜め方向や垂直方向など任意の角度でパネルを設置することが可能となり、すなわち法面の角度に応じた斜め施工が可能であり、盛土を減少させた経済的な盛土構造物や落石防止工法が施工できることとなった。